(57)【特許請求の範囲】
【請求項１】
内容液を収納する容器体の口筒部に密に組付いて、等間隔に列設した複数の主櫛歯片から、前記内容液を吐出可能とした櫛付きキャップであって、前記主櫛歯片を、その上部に、前記内容液を主櫛歯片間に吐出する吐出口を開設すると共に、上部を先細にして梳き方向に幅広の板状に構成し、該主櫛歯片列の両側の、隣合った主櫛歯片間に対向する箇所に、前記主櫛歯片よりも細いと共に、高さが等しいか大きい、弾性を有する副櫛歯片を配置し、該副櫛歯片を、前記主櫛歯片に近接する湾曲傾斜姿勢とした櫛付きキャップ。
【請求項２】
容器体の口筒部に密に組付く組付き筒の上端から、内鍔状の頂壁を介して、上端を頂板で塞いだ起立筒を設け、前記頂板に、梳き方向に直交する左右方向に沿って複数の主櫛歯片を起立姿勢で列設し、該主櫛歯片に、上部に形成した吐出口に連通すると共に、前記頂板の下面に開口する吐出路を形成した請求項１に記載の櫛付きキャップ。
【請求項３】
副櫛歯片を、主櫛歯片列の両側の、隣合った主櫛歯片間に対向する箇所と、前記各主櫛歯片に対向した箇所とに配置した請求項１または２に記載の櫛付きキャップ。
【請求項４】
副櫛歯片を、柔軟材質製とした請求項１〜３のいずれか１項に記載の櫛付きキャップ。
【請求項５】
頂板に抜け出し不能に外嵌組付きする組付き枠の上端縁に、前記頂板の上面周端部に載置する内鍔片を設け、該内鍔片の上面内縁部に副櫛歯片を一体に起立設して、柔軟材質製の副櫛歯片体を構成し、該副櫛歯片体を頂板に組付けることにより、前記副櫛歯片を主櫛歯片列の両側に配置した請求項２に記載の櫛付きキャップ。
【発明の詳細な説明】
【技術分野】
【０００１】
本発明は、容器体に収納された白髪染め液、ヘアマニキュア、ヘアカラーさらには整髪料等の内容液を、容器体から頭髪に直接塗布すべく構成した櫛付きキャップに関するものである。
【背景技術】
【０００２】
スクイズ性を有する容器体やエアゾール式の容器体にキャップとして組付けられ、容器体の白髪染め液やヘアマニキュア等の内容液を、直接頭髪に塗布することができるようにした櫛付きキャップが知られているが、この種の櫛付きキャップは、列設された複数の櫛歯片に、容器体に収納された内容液を、櫛歯片間に吐出する吐出口を開設した構成となっていて、適量の内容液を櫛歯片間に吐出した状態で、櫛付きキャップで頭髪を梳くことにより、そのまま内容液を頭髪に塗布するものとなっている。
【０００３】
この櫛付きキャップにあっては、容器体の内容液を直接頭髪に塗布することができるので、頭髪に対する内容液の簡単で素早い塗布を得ることができると云う利点がある反面、櫛歯片間に吐出されて塊状となった内容液が、そのまま櫛歯片間から垂れ落ちする場合がある、と云う不都合があった。
【０００４】
この不都合を解消する従来技術として、隣接する他の櫛歯片に対向する櫛歯面に、二条の凹溝を縦方向に形成し、この凹溝内に吐出された内容液を位置させると共に、過剰な内容液を貯留するように、構成したものがある。
【特許文献１】特開２００３−２５９９１１号公報
【０００５】
上記従来技術にあっては、櫛歯片間に吐出した内容液の少なくとも一部を、凹溝内に位置させることにより、吐出された内容液の櫛歯片に対する接触面積を大きくし、これにより内容液の不正な垂れ落ちの発生を、効果的に防止する、と云う利点がある。
【発明の開示】
【発明が解決しようとする課題】
【０００６】
しかしながら、上記した従来技術にあっては、凹溝は内容液を貯留する作用を発揮するものであるので、吐出された内容液の一部が、この凹溝内に残留する可能性が高く、このため内容液の無駄が発生し易いと共に、凹溝内に残留した内容液の乾燥固化により、梳き作用が不良となったり、汚れの発生が激しくなる、と云う問題があった。
【０００７】
また、内部に連通孔を開設した櫛歯片の櫛歯面に、凹凸を形成するので、その分、櫛歯片の構造が複雑化すると共に、この凹凸が櫛歯片の強度を劣化させないように考慮する必要があり、このため必ずしも所望する機能を発揮できる程度に凹凸を形成できるとは限らない、と云う問題があった。
【０００８】
そこで、本発明は、上記した従来技術における問題点を解消すべく創案されたもので、櫛歯片間に吐出された内容液を、その吐出位置付近に安定して貯留させると共に、頭髪の梳き動作に、ブラシ感を付与することができるようにすることを技術的課題とし、もって櫛歯片間に吐出した内容液の、垂れ落ちとか垂れ下がりの発生を防止すると共に、ブラシ感のある良好で好ましい使用感を得ることを目的とする。
【課題を解決するための手段】
【０００９】
本発明の櫛付きキャップは、白髪染め液、ヘアマニキュア、ヘアカラーさらには整髪料等の内容液を収納する容器体の口筒部に密に組付いて、等間隔に列設した複数の主櫛歯片から、内容液を吐出可能としたものである。
【００１０】
主櫛歯片は、その上部に、容器体内の内容液を主櫛歯片間に吐出する吐出口を開設すると共に、上部を先細にして梳き方向に幅広の板状に構成されている。
【００１１】
この主櫛歯片列の両側の、隣合った主櫛歯片の間に対向する箇所には、主櫛歯片よりも細い弾性を有する副櫛歯片が起立配置されており、この副櫛歯片は、主櫛歯片と略等しいか大きい高さを有し、梳き方向に沿って、主櫛歯片に近接する湾曲傾斜姿勢に構成されている。
【００１２】
各副櫛歯片は、主櫛歯片に近接して、主櫛歯片間間近に位置するので、吐出口から主櫛歯片間に吐出された内容液は、吐出後の主櫛歯片間での拡がりにより、両主櫛歯片だけではなく、副櫛歯片にも付着することになる。
【００１３】
このため、主櫛歯片間に吐出されて拡がった内容液は、その両側を主櫛歯片に付着させると共に、梳き方向側を副櫛歯片に付着させることになり、これにより妄りな流動変位が起き難くなるので、吐出した内容液の垂れ落ちとか、主櫛歯片の根元部への垂れ下がりと云う、不良状態が起こり難くなる。
【００１４】
また、各副櫛歯片には弾性が付与されているので、この副櫛歯片の弾性が、頭髪を梳く時の適度な抵抗を発生し、この抵抗感がブラシ感を与えることになる。
【００１５】
本発明の別の構成は、容器体の口筒部に密に組付く組付き筒の上端から、内鍔状の頂壁を介して、上端を頂板で塞いだ起立筒を設け、頂板に、梳き方向に直交する左右方向に沿って複数の主櫛歯片を起立姿勢で列設し、この主櫛歯片に、上部に形成した吐出口に連通すると共に、頂板の下面に開口する吐出路を形成した、ことにある。
【００１６】
複数の主櫛歯片を、頂板上に起立姿勢で設けたもの、すなわち縦型櫛歯片付きキャップとしたものにあっては、各主櫛歯片が起立姿勢もしくは垂下姿勢となる内容液吐出時もしくは塗布使用時であっても、主櫛歯片間に吐出された内容液は、各主櫛歯片間に略不動に保持された状態が維持される。
【００１７】
また、本発明の別の構成は、副櫛歯片を、主櫛歯片列の両側の、隣合った主櫛歯片間に対向する箇所と、各主櫛歯片に対向した箇所とに配置した、ことにある。
【００１８】
副櫛歯片を、主櫛歯片列の両側の、主櫛歯片間と各主櫛歯片に対向した箇所に配置したものにあっては、副櫛歯片の数を倍近くに増やすことができるので、発揮されるブラシ感を、より大きくすることができる。
【００１９】
また、本発明の別の構成は、副櫛歯片を、柔軟材質製とした、ことにある。
【００２０】
副櫛歯片を、柔軟材質製としたものにあっては、各副櫛歯片に付与する弾性と抵抗感とを、簡単にかつ正確に設定することができる。
【００２１】
また、本発明の別の構成は、頂板に抜け出し不能に外嵌組付きする組付き枠の上端縁に、頂板の上面周端部に載置する内鍔片を設け、この内鍔片の上面内縁部に副櫛歯片を一体に起立設して、柔軟材質製の副櫛歯片体を構成し、この副櫛歯片体を頂板に組付けることにより、副櫛歯片を主櫛歯片列の両側に配置した、ことにある。
【００２２】
柔軟材質製の副櫛歯片体を頂板に組付けることにより、副櫛歯片を主櫛歯片列の両側に配置したものにあっては、櫛付きキャップの頂板に対する、副櫛歯片体の組付き枠の、単純な嵌め込みによる外嵌組付けにより、ブラシ感を付与するのに必要な弾性と抵抗感とを有する副櫛歯片を、櫛歯片列の両側に、簡単に配置することができる。
【発明の効果】
【００２３】
本発明は、上記した構成となっているので、以下に示す効果を奏する。
本発明にあっては、櫛歯片間に吐出された内容液の垂れ落ちとか、櫛歯片の根元部への垂れ下がりと云う、不良状態が起こり難くなるので、内容液により手元とか周囲を汚すことなく、これにより頭髪に対する内容液の塗布を、好ましい状態のまま、簡単に行うことができる。
【００２４】
また、各副櫛歯片には弾性が付与されているので、この副櫛歯片の弾性が、頭髪を梳く時の適度で柔らか味のある抵抗を発生し、この抵抗感がブラシ感を与えることになるので、良好で好ましい使用感を得ることができる。
【００２５】
複数の主櫛歯片を、頂板上に起立姿勢で設けたものにあっては、各主櫛歯片が起立姿勢もしくは垂下姿勢となる内容液吐出時もしくは塗布使用時であっても、主櫛歯片間に吐出された内容液は、各主櫛歯片間に不動に保持された状態が維持されるので、内容液を主櫛歯片間に吐出した状態での安定した取扱いを得ることができ、これにより頭髪に対する内容液の塗布動作を、無理なく安心して行うことができる。
【００２６】
副櫛歯片を、主櫛歯片列の両側の、各主櫛歯片間および各主櫛歯片に対向した箇所に配置したものにあっては、副櫛歯片の数を倍近くに増やすことができるので、発揮されるブラシ感を、より大きくすることができ、これにより良好な使用感を、さらに高めることができる。
【００２７】
副櫛歯片を、柔軟材質製としたものにあっては、各副櫛歯片に付与する弾性と抵抗感とを、簡単にかつ正確に設定することができるので、発揮されるブラシ感を高いものとすることができ、優れた使用感を得ることができる。
【００２８】
柔軟材質製の副櫛歯片体を頂板に組付けることにより、副櫛歯片を主櫛歯片列の両側に配置したものにあっては、ブラシ感を付与するのに必要な弾性と抵抗感とを有する副櫛歯片を、櫛歯片列の両側に、簡単に配置することができるので、柔軟材質製の副櫛歯片体を有する櫛付きキャップを、簡単に構成することができる。
【発明を実施するための最良の形態】
【００２９】
以下、本発明の一実施形態を、図面を参照しながら説明する。
【００３０】
本発明の櫛付きキャップ１は、スクイズ性を有する胴部１８を持つ容器体１７やエアゾール式の容器体の口筒部１９に密に組付けられるもので、容器体１７の口筒部１９に、螺合して密に組付く組付き筒２の上端に、内鍔状の頂壁３を介して、上端を頂板６で塞いで内部を中空部５とした起立筒４を設け、頂板６の上面に、梳き方向に直交する左右方向に沿って、複数の主櫛歯片８を起立姿勢で列設し、この主櫛歯片８列の両側に、少なくとも隣合った主櫛歯片８の間に対向する箇所に、副櫛歯片１３を設けて構成されている。
【００３１】
主櫛歯片８は、上部を先細にして梳き方向に幅広の板状となっており、上部に左右方向に開口した吐出口９を形成し、この吐出口９に連通すると共に、頂板６の下面に開口する、すなわち中空部５に開放する吐出路１０を形成して構成されている。
【００３２】
副櫛歯片１３は、主櫛歯片８より細く、かつ略等しいか大きい高さで、弾性を付与されており、主櫛歯片８に近接する湾曲傾斜姿勢で構成されている。
【００３３】
図示実施例の場合、副櫛歯片１３は、樹脂エラストマー等の柔軟材質製の一体成形物である副櫛歯片体１２の一部分として形成されている。
【００３４】
副櫛歯片体１２は、頂板６の外周面に突設された横突条状の係止条７に、上方から乗り越え係止する係止突片１５を内周面に設けた、四角枠状の組付き枠１４上端縁に、頂板６の上面周端部に載置する内鍔片１６を連設し、この内鍔片の上面内縁部に副櫛歯片１３を一体に起立設して構成されている。
【００３５】
このように、副櫛歯片１３は、櫛機能部の主体部分を構成する主櫛歯片８とは別体に、弾性および柔らかさを自由に設定することのできる、樹脂エラストマー等の柔軟材質製となっているので、その弾性および柔らかさを、ブラシに適した値に設定することが容易である。
【００３６】
また、各副櫛歯片１３は、図２に示すように、主櫛歯片８近接する方向に湾曲傾斜しているので、その上部は、吐出口９間近に位置することになり、このため吐出口９から吐出されて、隣合った主櫛歯片８間で拡がる内容液Ｎが、その拡がりの拡大により副櫛歯片１３に付着（図４参照）する。
【００３７】
吐出された内容液Ｎは、隣合った両主櫛歯片８に付着するだけではなく、前後から近接している副櫛歯片１３にも付着するので、両主櫛歯片８および両副櫛歯片１３に囲まれた状態で付着することになり、この付着力により、吐出された位置に保持され、これにより垂れ落ちとか垂れ下がり等の不都合の発生が起こらない。
【００３８】
また、両側の副櫛歯片１３は、主櫛歯片８で梳かれる頭髪、または主櫛歯片８で梳かれた頭髪との摩擦抵抗により適度に撓んで、梳かれる頭髪に対してブラシ感のある、すなわち柔らか味のある梳き動作状態となる、適当な抵抗感を発生し、これにより良好で好ましい使用感を得ることができる。
【００３９】
なお、列設された主櫛歯片８の両側に、主櫛歯片８と同じ外観構造で設けられた枠主櫛歯片１１は、主櫛歯片８を機械的に保護すると共に、側端に位置した主櫛歯片８から吐出された内容液Ｎを保持するように作用する。
【００４０】
図示実施例の場合、各枠主櫛歯片１１の上部に透孔が開設されているが、これは副櫛歯片体１２を除く合成樹脂製櫛付きキャップ１全体を、射出成形により一体成形する際に、吐出口９を、一本の型ピンで成形するためのものである。
【００４１】
また、吐出口９は、上記した実施例に限定されず、左右方向に開口していれば良く、例えば、吐出口９から上の櫛歯面に、型抜きのための凹部が形成されるものでも構わないことは、云うまでもない。
【図面の簡単な説明】
【００４２】
【図１】本発明の一実施形態例の、半縦断正面図である。
【図２】図１の実施形態例の、副櫛歯片体を縦断した側面図である。
【図３】図１の実施形態例の、平面図である。
【図４】図３の一部拡大した、内容液付着状態説明用の平断面図である。
【符号の説明】
【００４３】
１  ；  櫛付きキャップ
２  ；  組付き筒
３  ；  頂壁
４  ；  起立筒
５  ；  中空部
６  ；  頂板
７  ；  係止条
８  ；  主櫛歯片
９  ；  吐出口
１０；  吐出路
１１；  枠主櫛歯片
１２；  副櫛歯片体
１３；  副櫛歯片
１４；  組付き枠
１５；  係止突片
１６；  内鍔片
１７；  容器体
１８；  胴部
１９；  口筒部
Ｎ  ；  内容液
【図１】
0005110467.tif 000002
【図２】
0005110467.tif 000003
【図３】
0005110467.tif 000004
【図４】
0005110467.tif 000005